(57)【特許請求の範囲】
【請求項１】
少なくとも一側面が開放したボックス体を板体の表面に突出状態で取付けてなる板体へのボックス体の取付構造であって、前記ボックス体の開放側の一側面を取付板とし、前記板体の表面に前記取付板の形状に合致し且つ取付板の板厚よりも深い凹部を形成し、該凹部内に前記取付板を埋没状態で配置するとともに、該取付板の表面側で前記凹部の残余空間に化粧板を積層した状態で、前記取付板と化粧板を同時に板体にネジ止めしてなることを特徴とする板体へのボックス体の取付構造。
【請求項２】
少なくとも一側面が開放したボックス体を板体の表面に突出状態で取付けてなる板体へのボックス体の取付構造であって、前記ボックス体の開放側の一側面を取付板とし、前記板体の表面に前記取付板の形状に合致し且つ取付板の板厚よりも深い凹部を形成し、該凹部内に前記取付板を埋没状態でネジ止めするとともに、該取付板の表面側で前記凹部の残余空間に化粧板を積層した状態で保持してなることを特徴とする板体へのボックス体の取付構造。
【請求項３】
前記化粧板と前記板体の表面とを略面一に設定してなる請求項１又は２記載の板体へのボックス体の取付構造。
【請求項４】
前記化粧板と前記板板の表面とに表層シートを貼着してなる請求項１〜３何れかに記載の板体へのボックス体の取付構造。
【発明の詳細な説明】
【０００１】
【発明の属する技術分野】
本発明は、板体へのボックス体の取付構造に係わり、更に詳しくは板体の表面にボックス体を綺麗に突出状態で取付けることが可能な取付構造に関するものである。
【０００２】
【従来の技術】
従来、雑誌やカタログ等を収納するボックス体を板体に突出状態で複数列設して取付けてなる陳列機能付きの書架や陳列棚は、既に各種提供されている。ここで、前記ボックス体は、一側面に取付板を有する開放型のものであり、書架や陳列棚の背板若しくは前後収納空間の仕切壁を兼ねた背板の表面に、前記ボックス体の取付板を接合した状態でネジ止めした構造となっている。
【０００３】
このように、従来の陳列機能付きの書架や陳列棚に代表されるように、ボックス体を板体に突出状態で取付ける構造において、取付板が板体の表面から突出した状態で取付けられているので、外観性に劣るばかりでなく、雑誌やカタログをボックス体に収納する際に、雑誌等の角が取付板に当たり、スムーズに収納できなかったり、雑誌等を傷付けたりすることがあった。
【０００４】
【発明が解決しようとする課題】
本発明が前述の状況に鑑み、解決しようとするところは、板体にボックス体の取付板が突出することなく取付けることが可能で、外観性に優れ、しかも取付強度が高い板体へのボックス体の取付構造を提供する点にある。
【０００５】
【課題を解決するための手段】
本発明は、前述の課題解決のために、少なくとも一側面が開放したボックス体を板体の表面に突出状態で取付けてなる板体へのボックス体の取付構造であって、前記ボックス体の開放側の一側面を取付板とし、前記板体の表面に前記取付板の形状に合致し且つ取付板の板厚よりも深い凹部を形成し、該凹部内に前記取付板を埋没状態で配置するとともに、該取付板の表面側で前記凹部の残余空間に化粧板を積層した状態で、前記取付板と化粧板を同時に板体にネジ止めしてなる板体へのボックス体の取付構造を構成した。
【０００６】
また、本発明は、少なくとも一側面が開放したボックス体を板体の表面に突出状態で取付けてなる板体へのボックス体の取付構造であって、前記ボックス体の開放側の一側面を取付板とし、前記板体の表面に前記取付板の形状に合致し且つ取付板の板厚よりも深い凹部を形成し、該凹部内に前記取付板を埋没状態でネジ止めするとともに、該取付板の表面側で前記凹部の残余空間に化粧板を積層した状態で保持してなる板体へのボックス体の取付構造を構成した。
【０００７】
ここで、前記化粧板と前記板体の表面とを略面一に設定してなることが好ましく、更に前記化粧板と前記板体の表面とに表層シートを貼着してなるとより好ましい。
【０００８】
【発明の実施の形態】
次に本発明の実施の形態を添付図面に基づき更に詳細に説明する。図１は本発明に係る板体へのボックス体の取付構造を採用した実施形態としての陳列機能付き書架の全体斜視図、図２は断面図、図３〜図６はその要部を示し、図中符号１は背板（板体）、２は雑誌棚（ボックス体）、３は取付板、４は凹部、５は化粧板、６は表層シートをそれぞれ示している。
【０００９】
本発明は、図３及び図４に示すように、少なくとも一側面が開放した雑誌棚２（ボックス体）を背板１（板体）の表面に突出状態で取付けてなる取付構造であって、前記雑誌棚２の開放側の一側面を取付板３とし、前記背板１の表面に前記取付板３の形状に合致し且つ取付板３の板厚よりも深い凹部４を形成し、該凹部４内に前記取付板３を埋没状態で配置するとともに、該取付板３の表面側で前記凹部４の残余空間に化粧板５を積層した状態で、前記取付板３と化粧板５を同時に背板１にネジ止めしてなるものである。ここで、本実施形態では、雑誌を収納するボックス型の雑誌棚２，…を背板１に複数列設して取付けて陳列機能付き書架を構成している。
【００１０】
先ず、本発明に係る陳列機能付き書架の全体構造を図１及び図２に基づき説明する。本発明に係る陳列機能付き書架は、前記雑誌棚２，…を装着した側と、棚板７，…を多段に装着した側とを前記背板１で仕切り、それらを側板８，８と天板９とで取り囲んだ構造となっている。尚、前記棚板７，…を装着した側にも背板１０を設けているが、この背板１０は省略することも可能である。また、前記雑誌棚２，…を装着した側の下部には、棚板１１を取付け、該棚板１１の下方空間を複数の仕切板１２，…と底板１３，…とで区画して、前記雑誌棚２，…に収納する雑誌等のストック又はバックナンバーを収納したり、他の目的に使用することができるようにしている。
【００１１】
前記雑誌棚２は、雑誌等を傾斜状態で表表紙を見易いように載支するための背面板１４と、該背面板１４の下端に直角に固定し、雑誌等の下端を支持するための底面板１５と、前記背面板１４と底面板１５の一側面側に固定した前記取付板３を固定した形状のものである。そして、前記背板１に雑誌棚２をその背面板１４が後傾した状態で取付けるのである。
【００１２】
そして、前記雑誌棚２を取付ける背板２の表面には、前記取付板３と平面視形状が合致し且つ取付板３の板厚よりも深い凹部４を形成している。前記凹部４の底面部には複数の埋込ナット１６，…を設けるとともに、前記取付板３には埋込ナット１６，…と同じ位置に取付孔１７，…を形成している。また、前記化粧板５は、前記背面板１４と底面板１５の内側に出現する前記取付板３の形状に合致した側面視形状で、その板厚は前記凹部４の深さから前記取付板３の板厚を減じた厚さに略等しくなるように設定し、前記埋込ナット１６，…と同じ位置に通孔１８，…を形成したものである。
【００１３】
そして、前記雑誌棚２の取付板３を前記背板１の凹部４内に配置するとともに、該取付板３の外側に前記化粧板５を積層して配置した状態で、ネジ１９，…を化粧板５の通孔１８から取付板３の取付孔１７を通して前記埋込ナット１６に螺合して取付ける。この状態で、前記背板１の表面と前記化粧板５の表面とは略面一になっている。また、前記取付板３は凹部４内に嵌合しているので、位置ずれや回転する恐れが全くなく、取付強度が非常に高いのである。ここで、前記背板１の表面と前記化粧板５の表面は予め塗装を施して綺麗に仕上げているか、若しくは図３及び図４に示すように、予め前記背板１の表面にクロス等の表層シート２０を貼着しておき、前記雑誌棚２を背板１に取付けた後、前記表層シート２０と同種で、前記化粧板５と同形にカットした表層シート５を化粧板５の表面に貼着して綺麗な外観に仕上げるのである。後で、表層シート５を化粧板５の表面に貼着する場合、前記ネジ１９の頭部が表層シート５で隠蔽されるので望ましい。
【００１４】
図５は、前記背板１を構造板２１と表層板２２との積層構造とし、前記表層板２２に前記取付板３の平面視形状に合致した開口２３を形成し、構造板２１と積層一体化することで前記開口２３と構造板２１の面とで前記凹部４を形成したものである。ここで、前記表層板２２の板厚は、前記取付板３と化粧板５の板厚の和に略等しくなるように設定している。その他の構造は、前記同様であるので、同一構成には同一符号を付して、その説明は省略する。
【００１５】
また、図６に示した実施形態は、前記雑誌棚２（ボックス体）の開放側の一側面を取付板３とし、前記背板１（板体）の表面に前記取付板３の形状に合致し且つ取付板３の板厚よりも深い凹部４を形成し、該凹部４内に前記取付板３を埋没状態でネジ止めするとともに、該取付板３の表面側で前記凹部４の残余空間に化粧板５を積層した状態で保持したものである。例えば、前記化粧板５の背面に、マグネットシート２４を貼着しておき、前記取付板３を背板１に取付けたネジ１９の頭部にマグネットシート２４を吸着させて化粧板５を凹部４の残余空間に着脱可能に装着するのである。この場合も、前記化粧板５の表面は、前記背板１の表面と略面一になるように設定している。その他の構造は、前記同様であるので、同一構成には同一符号を付して、その説明は省略する。
【００１６】
また、図７は、前記雑誌棚２の形状が異なるものを示し、該雑誌棚２は、底面板２５の両側に側面板２６，２６を取付けるとともに、底面板２５と両側面板２６，２６の後部に図示しない取付板３を有する前方及び上方に開放したボックス状のものである。この場合も、前記雑誌棚２の前記取付板３は、背板１の内部に埋没状態で取付けられ、表面側には化粧板５あるいは表層シート６あるいは塗装面のみが見えるのである。その他の構造は、前記同様であるので、同一構成には同一符号を付して、その説明は省略する。
【００１７】
本発明に係る板体へのボックス体の取付構造は、前述の陳列機能付き書架に限定されず、広く一般の家具や展示、陳列什器に適用できる技術である。
【００１８】
【発明の効果】
以上にしてなる請求項１に係る発明の板体へのボックス体の取付構造は、少なくとも一側面が開放したボックス体を板体の表面に突出状態で取付けてなる板体へのボックス体の取付構造であって、前記ボックス体の開放側の一側面を取付板とし、前記板体の表面に前記取付板の形状に合致し且つ取付板の板厚よりも深い凹部を形成し、該凹部内に前記取付板を埋没状態で配置するとともに、該取付板の表面側で前記凹部の残余空間に化粧板を積層した状態で、前記取付板と化粧板を同時に板体にネジ止めしてなるので、板体にボックス体の取付板が突出することなく取付けることが可能で、外観性に優れ、しかも取付板は凹部内に嵌合しているので、位置ずれや回転する恐れが全くなく、取付強度が非常に高いのである。
【００１９】
請求項２によれば、前述の効果に加え、取付板を背板に取付けたネジの頭部が化粧板によって完全に隠蔽されるので、外観性にスッキリとしたものになる。
【００２０】
請求項３又は４によれば、外観性が一層向上するのである。
【図面の簡単な説明】
【図１】本発明に係る板体へのボックス体の取付構造を採用した実施形態としての陳列機能付き書架の全体斜視図である。
【図２】同じく縦断面図である。
【図３】同じく要部の分解斜視図である。
【図４】背板に雑誌棚を取付けた状態の部分断面図である。
【図５】同じく変形例を示す背板に雑誌棚を取付けた状態の部分断面図である。
【図６】本発明の他の実施形態を示す背板に雑誌棚を取付けた状態の部分断面図である。
【図７】雑誌棚の形状が異なる場合を示す陳列機能付き書架の全体斜視図である。
【符号の説明】
１  背板（板体）    ２  雑誌棚（ボックス体）
３  取付板          ４  凹部
５  化粧板          ６  表層シート
７  棚板            ８  側板
９  天板            １０  背板
１１  棚板          １２  仕切板
１３  底板          １４  背面板
１５  底面板        １６  埋込ナット
１７  取付孔        １８  通孔
１９  ネジ          ２０  表層シート
２１  構造板        ２２  表層板
２３  開口          ２４  マグネットシート
２５  底面板        ２６  側面板
【図１】
0004092899.tif 000002
【図２】
0004092899.tif 000003
【図３】
0004092899.tif 000004
【図４】
0004092899.tif 000005
【図５】
0004092899.tif 000006
【図６】
0004092899.tif 000007
【図７】
0004092899.tif 000008